(57)【要約】【課題】スクリーン材の連結部位における損傷の発生を効果的に防止することのできる砂防構造体を提供する。【解決手段】河床Ｖに設置された支持構造物２に複数の縦桁３が架設されるとともに、縦桁３の長手方向に間隔をあけて複数のスクリーン材４が架設、固定されて構築される砂防構造体１。長手方向において隣接する２つのスクリーン材４の、下流側にあるスクリーン材４の上流側端部と上流側にあるスクリーン材４の下流側端部とが縦桁３に固定され、下流側のスクリーン材４の上流側端部の上側が鈍角もしくは弧状である。【選択図】図１
2015137522.tif 000002
【特許請求の範囲】
【請求項１】
河床に設置された支持構造物に複数の縦桁が架設されるとともに、前記縦桁の長手方向に間隔をあけて複数のスクリーン材が架設、固定されて構築される砂防構造体であって、
長手方向において隣接する２つの前記スクリーン材の、下流側にある前記スクリーン材の上流側端部と上流側にある前記スクリーン材の下流側端部とが前記縦桁に固定され、
下流側の前記スクリーン材の上流側端部の上側が鈍角もしくは弧状であることを特徴とする砂防構造体。
【請求項２】
長手方向において隣接する２つの前記スクリーン材の、下流側にある前記スクリーン材の前記上流側端部は、上流側にある前記スクリーン材の前記下流側端部の平面視における下側に位置することを特徴とする請求項１記載の砂防構造体。
【請求項３】
下流側にある前記スクリーン材の上面と、上流側にある前記スクリーン材の上面とが略同一平面内にあることを特徴とする請求項１又は２記載の砂防構造体。
【請求項４】
下流側にある前記スクリーン材の上面よりも上流側にある前記スクリーン材の上面が高い位置にあることを特徴とする請求項１又は２記載の砂防構造体。
【請求項５】
前記下流側スクリーン材の上流側端部の形状と、前記上流側スクリーン材の下流側端部の形状は相補的であることを特徴とする請求項１乃至４の何れか１項記載の砂防構造体。
【請求項６】
前記スクリーン材は、長手方向に垂直な平面における断面が逆台形であることを特徴とする請求項１乃至５の何れか１項記載の砂防構造体。
【発明の詳細な説明】
【技術分野】
【０００１】
本発明は、土石流の発生が予想される箇所の河床に設置し、土石流の発生時には礫と水とを分離させることで土石流を減勢または停止させるための砂防構造体に関するものである。
【背景技術】
【０００２】
河川や渓流において、台風や集中豪雨時等に土石流が発生することがある。土石流は、降り続く豪雨により軟弱となった山腹の地盤が流動化することで生じる土砂や石等の礫が河川や渓流の水と一体となり傾斜を流下することで発生し、下流の集落等に甚大な被害をもたらすものである。
【０００３】
こうした土石流の集落への流下を防止するために、従来から様々な砂防構造体が用いられているが、その多くが、特許文献１に開示されているように、土石流の流下方向に略垂直に設けられた枠体等により構成されている。
【０００４】
このような砂防構造体では、垂直に設けられた枠体により土石流に含まれる石や樹木を堰き止める一方、水や砂を通過させることで、岩石等と水等とを分離し、甚大な被害をもたらす土石流の状態のままふもとの集落に流下することを防止している。このように、土石流を直接受け止める砂防構造体は、捕捉工とも呼ばれる。
【０００５】
しかし、土石流の流下方向に対して略垂直に設けられた枠体状の捕捉工では、想定される礫の粒径が大きく傾斜が急である場合、受け止めるエネルギー量が膨大なものとなり、捕捉工の破損を招くことがある。
【０００６】
こうした破損を防止するため、捕捉工の機械的強度を増加させることも行われるが、機械的強度を増加させるべく捕捉工の肉厚化等をした場合、原料となる鋼材の使用量が増え、砂防構造体の製造コストの増加を招いてしまう。
【０００７】
また、こうした捕捉工では、予想される土石の量が過度に多い場合、早期に捕捉工の許容堆積量を超えてしまい、土石流が捕捉工を越流することがある。そのため、全高がより高く、広範囲にわたる大規模な捕捉工を設置する必要が生じ、同様に鋼材の使用量が増加し、砂防構造体の製造コストの増加を招いてしまう。
【０００８】
そこで、砂防構造体の製造コストを捕捉工よりも低廉に抑えつつ、土石流による被害を効果的に防止するため、発生した土石流の石などの礫を受け止めるのではなく減勢させる、減勢工が採用されている（特許文献２参照）。
【０００９】
減勢工は、土石流を防止する砂防構造体という点では捕捉工と共通しているものの、捕捉工のように直接土石を受け止めるのではなく、ある程度流下させながら土石流を減勢させるものであるため、その作用及び作用を実現するための解決手段が捕捉工とは異なる技術である。
【００１０】
具体的には、特許文献２に記載されている減勢工では、Ｈ型鋼よりなる支持桁上に断面逆台形の角形鋼管であるスクリーン材を並列配置することによりスクリーンを簀子状に形成し、このスクリーンの土石流の流下方向に対する立設角度を、上述した捕捉工よりもなだらかな略水平またはこれに近い傾斜としている。
【００１１】
こうすることで、土石流が流下する傾斜を緩やかなものとし、土石流のエネルギーを減勢させつつ、簀子状のスクリーンで水と礫とを分離することで、最終的に土石流を消滅させる。
【００１２】
大規模かつ高エネルギーな土石流が発生する現場であって、工作物の設置面積を広く確保できる場所は、こうした減勢工の設置に特に適していて、土石流による被害を効果的に防止することができる。
【先行技術文献】
【特許文献】
【００１３】
【特許文献１】特開平６−１０３３０号公報
【特許文献２】実公平４−５５０７６号公報
【発明の概要】
【発明が解決しようとする課題】
【００１４】
図２３は、従来の減勢工の（Ａ）は縦桁の接合部分を示す側面図、（Ｂ）は（Ａ）の接合部分に砂礫が衝突、集積する様子を示す側面図、（Ｃ）は（Ａ）の接合部分が礫により損傷する様子を示す側面図である。
【００１５】
上述した従来の減勢工では、図２３（Ａ）に示すように、支持桁である縦桁のフランジ３２上にスクリーン材４８０が長手方向及び短手方向に並置されて簀子状のスクリーンが形成されている。そして、長手方向に隣接する２つのスクリーン材４８０は、略直角となっているそれぞれの端部が若干の間隔を空けて対向し連結した状態となっている。
【００１６】
こうした連結部位において、土石流がその流下方向（Ｘ方向）に流れると、図２３（Ｂ）に示すように、下流側にあるスクリーン材４８０の上端部にある角部４８１に礫Ｆが衝突、集積することとなる。この衝突と集積を繰り返すことで、図２３（Ｃ）に示すように、次第に角部４８１が損傷し、減勢工の強度が低下する原因となることがあった。
【００１７】
そこで、本発明は、上述した問題点に鑑みて案出されたものであり、減勢工である砂防構造体であって、スクリーン材の連結部位における損傷の発生を効果的に防止することのできる砂防構造体を提供することを目的とする。
【課題を解決するための手段】
【００１８】
本発明者は、上述した課題を解決するために、流下する土石流に含まれる礫が衝突してもその衝突エネルギーを受け流すことができ、スクリーン材の連結部位における損傷の発生を効果的に防止することができる砂防構造体を発明した。
【００１９】
第１発明に係る砂防構造体は、河床に設置された支持構造物に複数の縦桁が架設されるとともに、前記縦桁の長手方向に間隔をあけて複数のスクリーン材が架設、固定されて構築される砂防構造体であって、長手方向において隣接する２つの前記スクリーン材の、下流側にある前記スクリーン材の上流側端部と上流側にある前記スクリーン材の下流側端部とが前記縦桁に固定され、下流側の前記スクリーン材の上流側端部の上側が鈍角もしくは弧状であることを特徴とする。
【００２０】
第２発明に係る砂防構造体は、第１発明に係る砂防構造体において、長手方向において隣接する２つの前記スクリーン材の、下流側にある前記スクリーン材の前記上流側端部は、上流側にある前記スクリーン材の前記下流側端部の平面視における下側に位置することを特徴とする。
【００２１】
第３発明に係る砂防構造体は、第１又は第２発明に係る砂防構造体において、下流側にある前記スクリーン材の上面と、上流側にある前記スクリーン材の上面とが略同一平面内にあることを特徴とする。
【００２２】
第４発明に係る砂防構造体は、第１又は第２発明に係る砂防構造体において、下流側にある前記スクリーン材の上面よりも上流側にある前記スクリーン材の上面が高い位置にあることを特徴とする。
【００２３】
第５発明に係る砂防構造体は、第１乃至第４発明の何れか１つに係る砂防構造体において、前記下流側スクリーン材の上流側端部の形状と、前記上流側スクリーン材の下流側端部の形状は相補的であることを特徴とする。
【００２４】
第６発明に係る砂防構造体は、第１乃至第５発明の何れか１つに係る砂防構造体において、前記スクリーン材は、長手方向に垂直な平面における断面が逆台形であることを特徴とする。
【発明の効果】
【００２５】
上述した構成からなる本発明によれば、流下する土石流に含まれる礫が衝突してもその衝突エネルギーを受け流すことができ、スクリーン材の連結部位における損傷の発生を効果的に防止することができる。
【図面の簡単な説明】
【００２６】
【図１】第１実施形態に係る砂防構造体が設置されている状態を示す斜視図である。
【図２】第１実施形態に係る砂防構造体の全体斜視図である。
【図３】第１実施形態に係る砂防構造体で用いられているスクリーンを示す斜視図である。
【図４】図３のスクリーン材から横桁を取り除いた状態を示す斜視図である。
【図５】スクリーン材を示す、（Ａ）は斜視図、（Ｂ）は側面図、（Ｃ）は角型鋼管の下流側の端部に溶接されている下流側端部を取り外した状態を示す拡大斜視図である。
【図６】スクリーン材を縦桁に取り付けた様子を示す概略側面図である。
【図７】第１実施例に係る砂防構造体で用いられている縦桁を示す斜視図である。
【図８】第１実施例に係る砂防構造体で用いられている横桁を示す斜視図である。
【図９】第１実施例に係る砂防構造体で用いられている支持構造物を示す斜視図である。
【図１０】第１実施例に係る砂防構造体において、支持構造物に縦桁が取り付けられる様子を示す斜視図である。
【図１１】第１実施例に係る砂防構造体において、縦桁に横桁とスクリーン材とが取り付けられる様子を示す斜視図である。
【図１２】本願発明の第２実施形態に係る砂防構造体が設置されている状態を示す斜視図である。
【図１３】第２実施形態に係る砂防構造体で用いられている支持構造物を示す斜視図である。
【図１４】第２実施形態において側部支持材が基礎構造物に取り付けられる様子を示す斜視図である。
【図１５】縦桁が支持構造物に取り付けられると共に、縦桁に横桁が取り付けられる様子を示す斜視図である。
【図１６】側部支持材に縦桁が取り付けられると共に、縦桁にスクリーン材が取り付けられる様子を示す斜視図である。
【図１７】本発明の第１変形例に係る砂防構造体で用いられるスクリーン材の（Ａ）は下流側端部、（Ｂ）は上流側端部を示す斜視図である。
【図１８】図１７に示すスクリーン材が２つ接合される部分を示す側面図である。
【図１９】本発明の第２変形例に係る砂防構造体で用いられるスクリーン材の（Ａ）は下流側端部、（Ｂ）は上流側端部を示す斜視図である。
【図２０】図１９に示すスクリーン材が２つ接合される部分を示す側面図である。
【図２１】本発明の第３変形例に係る砂防構造体で用いられるスクリーン材の（Ａ）は下流側端部、（Ｂ）は上流側端部を示す斜視図である。
【図２２】図２１に示すスクリーン材が２つ接合される部分を示す側面図である。
【図２３】従来の減勢工の（Ａ）は縦桁の接合部分を示す側面図、（Ｂ）は（Ａ）の接合部分に砂礫が衝突、集積する様子を示す側面図、（Ｃ）は（Ａ）の接合部分が砂礫により損傷する様子を示す側面図である。
【発明を実施するための形態】
【００２７】
［第１実施形態］
以下、本発明の第１実施形態に係る砂防構造体１について詳細に説明する。
【００２８】
図１は、第１実施形態に係る砂防構造体１が設置されている状態を示す斜視図である。図２は、第１実施形態に係る砂防構造体１の全体斜視図である。
【００２９】
砂防構造体１は、コンクリート製の支持構造物２の上に、簀子状のスクリーン５が載置され構築されている。構造体１は、山肌Ｍに囲まれた渓流Ｖの途中に、渓流Ｖの伸長方向、すなわち土石流が発生した際、その土石流の流下方向（Ｘ方向）にスクリーン材４の長手方向が向くように構築されている。支持構造物２上にスクリーン５が載置された状態において、支持構造物２とスクリーン５とにより囲まれて形成される空間Ｄは、排水溝として機能する。
【００３０】
図３は、図１の実施例に係る砂防構造体１で用いられているスクリーン５を示す斜視図である。図４は、図３のスクリーン材から横桁６を取り除いた状態を示す斜視図である。
【００３１】
スクリーン５は、複数のスクリーン材４が、縦桁３及び横桁６が連結されることで形成される枠体の上にその長手方向をＸ方向すなわち土石流の流下方向に向けるとともに、Ｘ方向と垂直なＹ方向に短手方向を向けて並列配置されて形成されている。
【００３２】
スクリーン材４は、縦桁３のフランジ３２上にボルト４５を用いて固定されている。この固定の詳細は後述する
【００３３】
図５は、スクリーン材４を示す、（Ａ）は斜視図、（Ｂ）は側面図、（Ｃ）は角型鋼管の下流側の端部に溶接されている面材を取り外した状態を示す拡大斜視図である。
【００３４】
スクリーン材４は、Ｘ方向に垂直な平面における断面が逆台形となる角型鋼管４１の長手方向の両端部が、Ｙ方向と平行な平面により斜めに切り落とされるとともに、その上流側の端部に鋼製の板材が取り付けられた上流側端部４２ｂ、下流側の端部に同じく鋼製の板材が取り付けられた下流側端部４２ａが溶接されて形成されている。角型鋼管４１の両端部断面はそれぞれ平行となっている。角型鋼管４１の上流側端部４２ｂの端部上側にある角部は、Ｘ−Ｚ平面による断面で見て鈍角となっている。
【００３５】
ただし、スクリーン５の下流側の最端部に位置するスクリーン材４の端部については、斜めではなく垂直に、すなわちＸ−Ｚ平面に平行に切り落とされた形状となっている。
【００３６】
また、角型鋼管４１の長手方向の両端部近傍の底部には、それぞれ孔部４４が２つ形成された鋼製の長板状の部材である接合プレート４３が溶接されている。接合プレート４３は、孔部４４が角型鋼管４１を挟んでそれぞれ反対側に位置するようにして接合される。
【００３７】
図６は、スクリーン材４を縦桁３に取り付けた様子を示す概略側面図である。Ｘ方向、すなわち土石流の流下方向に沿い並置された２つのスクリーン材４の上流側端部４２ｂと下流側端部４２ａは、スクリーン材４が縦桁３のフランジ３２上に取り付けられた状態において互いに平行に対向し、かつ、上流側端部４２ｂが下流側端部４２ａの下側に位置した状態となっている。
【００３８】
図７は、縦桁３を示す斜視図である。縦桁３は、Ｈ型鋼により形成される部材であり、ウェブ３１と、ウェブ３１の両端からウェブ３１に対して垂直となる方向に張り出すフランジ３２、そして長手方向両端部近傍においてフランジ３２間に張り渡されているスチフナ３３が形成されている。なお、図７では２本の縦桁３が長手方向に連続して描かれている。
【００３９】
図７における縦桁３の上側にあるフランジ３２の周縁部には、長手方向に沿い、複数の孔部３５が形成されている。
【００４０】
また、スチフナ３３にも、それぞれ図７の上下に２つ並んで孔部３６が形成されている。
【００４１】
また、図７の下側にあるフランジ３２の長手方向両端部近傍には、それぞれ孔部３４が形成されている。
【００４２】
図８は、横桁６を示す斜視図である。横桁６は、溝形鋼により形成される部材であり、ウェブ６１と、ウェブ６１の端部からそれぞれ同方向に平行に張り出すフランジ６２とが形成されている。ウェブ６１の長手方向両端部には、孔部６５がそれぞれ２つずつ形成されている。
【００４３】
図９は、支持構造物２を示す斜視図である。支持構造物２は、コンクリート製で砂防構造体１の土台となる構造物であり、基底部２１、基底部２１の±Ｙ方向端部からそれぞれ立設される側壁２２、基底部２１の−Ｘ方向端部から側壁２２と連続し、側壁２２と同じ高さに立設される奥側壁２３、及び２つの側壁２２の中間位置において基底部２１から立設される中間壁２４と、を備えて構成されている。
【００４４】
側壁２２は、支持構造物２の内側の壁面において、Ｘ方向に沿い段部２２１が形成されている。この段部２２１の上面には、所定の間隔をあけて所定の数のアンカーボルト２２２が突出して形成されている。このアンカーボルト２２２には、後述するナット３９が螺合可能となっている。
【００４５】
中間壁２４は、側壁２２に形成された段部２２１と同じ高さに立設されている。中間壁２４の上面にも、所定の間隔をあけて所定の数のアンカーボルト２２２が突出して形成されている。
【００４６】
次に、上述した構成部材を備える砂防構造体１の建造について説明する。
【００４７】
まず、支持構造物２への縦桁３の取り付けについて説明する。図１０は、支持構造物２に縦桁３が取り付けられる様子を示す斜視図である。縦桁３は、支持構造物２の側壁２２に設けられた段部２２１に、シュー７を介して載置され、ボルト締結される。
【００４８】
シュー７は、モルタル樹脂よりなる板状の部材であり、その中央に孔部７１が形成されていて、この孔部７１と、縦桁３のフランジ３２に形成された孔部３４とは、支持構造物２の段部２２１または中間壁２４の上面に設けられたアンカーボルト２２２を挿通可能な略同一の径を有している。
【００４９】
支持構造物２への縦桁３の取り付けでは、まず、複数のシュー７が、その孔部７１に支持構造物２のアンカーボルト２２２が挿通されるようにして、段部２２１に並置される。
【００５０】
次に、複数の縦桁３が、その長手方向の一端側にある２つの孔部３４に対して隣接する２つのアンカーボルト２２２が挿通されるようにして、シュー７上に載置される。
【００５１】
次に、縦桁３の２つのフランジ３２間に突出しているアンカーボルト２２２の先端部からナット３９が螺合されることで、支持構造物２への縦桁３の取り付けが行われる。
【００５２】
次に、縦桁３への横桁６とスクリーン材４との取り付けについて説明する。図１１は、縦桁３に横桁６とスクリーン材４とが取り付けられる様子を示す斜視図である。
【００５３】
横桁６は、その長手方向両端部に形成された孔部６５を、縦桁３のスチフナ３３に形成された孔部３６に重ね合わせた状態で、ボルト３７をこれらの孔部６５、３６に挿通しその端部にナット３８を螺合することで縦桁３に取り付けられる。
【００５４】
スクリーン材４は、接合プレート４３に形成された２つの孔部４４を、縦桁３の長手方向において隣接する２つの孔部３５にそれぞれ重ね合わせるようにして縦桁３上に載置された後、ボルト４５を孔部４４から孔部３５に挿通し、２つのフランジ３２間に突出したボルト４５の先端にナット４６を螺合することで縦桁３に取り付けられる。
【００５５】
こうして形成される砂防構造体１によると、土石流の岩石と水とを分離させることでこれを減勢または停止させることができる。
【００５６】
また、土石流の流下方向下流にあるスクリーン材４の上流側端部４２ｂの上側にある角部がＸ−Ｚ平面視で鈍角であるため、流下する土石流に含まれる岩石や砂礫が衝突してもその衝突エネルギーを受け流すことができ、スクリーン材の連結部位における損傷の発生を効果的に低減することができる。
【００５７】
［第２実施形態］
図１２は、本願発明の第２実施形態に係る砂防構造体１００が設置されている状態を示す斜視図である。
【００５８】
第２実施形態に係る砂防構造体１００は、山肌Ｍに囲まれた渓流Ｖの途中であって、渓流Ｖの伸長方向、すなわち土石流の流下方向Ｘに沿い設けられる点は上述した第１実施形態に係る砂防構造体１と同様である。
【００５９】
しかし、第２実施形態に係る砂防構造体１００は、山肌Ｍから渓流Ｖにかけて傾斜する傾斜面Ｓの延長方向についても、土石流の減勢を行いたい場合に用いられるものであり、第１実施形態に係る砂防構造体１の側部に連続し、更に傾斜したスクリーン５’を備える砂防構造体１０が形成されている。
【００６０】
以下の説明では、砂防構造体１の部分については上述した第１実施形態に係る砂防構造体１と異なる部分についてのみ説明し、主に砂防構造体１０’について説明する。
【００６１】
砂防構造体１０’は、簀子状のスクリーン５’がスクリーン材４’を土石流の流下方向（Ｘ方向）に向けつつ、砂防構造体１の一端側の側壁２２と、支持構造物２’に取り付けられた側部支持材８２とにより支持されて構成されている。砂防構造体１０’のスクリーン５’と支持構造物２’とにより形成される空間Ｄ’は、排水溝として機能する。
【００６２】
なお、スクリーン５’は、縦桁３’と横桁６’とにより構成された枠体の上にスクリーン材を掛け渡して構成されている点で上述した第１実施形態に係る砂防構造体１のスクリーン５と共通した構成となっている。
【００６３】
図１３は、第２実施形態に係る砂防構造体で用いられている支持構造物２’を示す斜視図である。支持構造物２’は、コンクリート製で砂防構造体１０の土台の一部となる構造物であり、底部及び底部の一端部から上方向（Ｚ方向）に立設される側壁とにより構成される基底部２２’と、側壁に設けられた段部２１’と、側壁に設けられＹ方向に突出するアンカーボルト２３’と、を備えて構成されている。
【００６４】
次に、上述した構成部材を備える砂防構造体１０の建造について説明する。
【００６５】
図１４は、第２実施形態において側部支持材８２が支持構造物２’に取り付けられる様子を示す斜視図である。
【００６６】
側部支持材８２は、ウェブ８２６と２つのフランジ８２７を備えるＨ型鋼の長手方向一端側を垂直に切り、そこにベースプレート８２１が溶接されると共に、他端側を斜めに切り、そこに接合プレート８２４が溶接されて形成されている。
【００６７】
ベースプレート８２１には、アンカーボルト２３’を挿通可能な径を有する２つの孔部８２２が形成されている。
【００６８】
接合プレート８２４には、後述するボルト８８８を挿通可能な４つの孔部８２５が形成されている。
【００６９】
この側部支持材８２の支持構造物２’への取り付けは、ベースプレート８２１の孔部８２２に支持構造物２’から突出しているアンカーボルト２３’が挿通されるとともに、ベースプレート８２１を貫通したアンカーボルト２３’の先端にナット８２３を螺合することで行われる。
【００７０】
図１５は、縦桁３’が支持構造物２’に取り付けられると共に、縦桁３’に横桁６’が取り付けられる様子を示す斜視図である。
【００７１】
縦桁３’の支持構造物２’への取り付けは、支持構造物２’のアンカーボルト２２２’が縦桁３’のベースプレート３６’に形成された孔部３８０’に挿通されるとともに、ベースプレート３６’を貫通したアンカーボルト２２２’にナット３９’が螺合されることで行われる。
【００７２】
横桁６’の縦桁３’への取り付けは、横桁６’の端部に形成された孔部６５’が縦桁３’に形成された孔部３６０’と重ね合わされるとともに、それらの孔部６５’、３６０’にボルト３７’が挿通され、挿通されたボルト３７’の端部にナット３８’を螺合することで行われる。
【００７３】
図１６は、側部支持材８２に縦桁３’が取り付けられると共に、縦桁３’にスクリーン材４’が取り付けられる様子を示す斜視図である。
【００７４】
側部支持材８２への縦桁３’の取り付けは、側部支持材８２の接合プレート８２４に形成された孔部８２５と、縦桁３’のフランジ３２’の端部近傍に形成された孔部３８０’が重ねあわされるとともに、これらの孔部８２５、３８０’にボルト８８８が挿通され、挿通されたボルト８８８の先端部にナット８８９が螺合されることで行われる。
【００７５】
縦桁３’へのスクリーン材４’の取り付けでは、まず、接合プレート４３’に形成された２つの孔部４４’に、縦桁３’の長手方向において隣接する２つの孔部３５’をそれぞれ重ね合わせるようにして、スクリーン材４’が縦桁３’に載置される。次に、ボルト４５’が孔部４４’から孔部３５’に挿通され、２つのフランジ３２’間に突出したボルト４５’の先端にナット４６’が螺合される。こうして縦桁３’へのスクリーン材４’の取り付けが完了する。
【００７６】
こうして形成される砂防構造体１００によると、渓流Ｖの底部に加えて側部（傾斜面Ｓ側）からも土石流の礫と水とを分離させることができ、更に効果的に減勢または停止させることができる。
【００７７】
また、土石流の流下方向下流にあるスクリーン材４及び４’の上流側端部４２ｂの上側にある角部がＸ−Ｚ平面視で鈍角であるため、流下する土石流に含まれる礫が衝突してもその衝突エネルギーを受け流すことができ、スクリーン材の連結部位における損傷の発生を効果的に防止することができる。
【００７８】
なお、上述した各実施形態はあくまで本発明を説明するための例に他ならず、本発明はこれらの態様に限られるものではない。
【００７９】
例えば、Ｘ方向に並ぶスクリーン材の継目部分については、上述した２つの実施形態に係る砂防構造体では図５に示す端部形状を有するスクリーン材同士が図６に示すように連続的に固定される態様となっていたが、本発明はこうした態様に限られず、例えば図１７〜図２２に示す各態様を採用してもよい。
【００８０】
図１７は、本発明の第１変形例に係る砂防構造体で用いられるスクリーン材４０１の（Ａ）は下流側端部４０２ａ、（Ｂ）は上流側端部４０２ｂを示す斜視図である。図１８は、図１７に示すスクリーン材４０１が２つ接合される部分を示す側面図である。なお、以下に説明する各変形例では、スクリーン材４０１以外の構成は上述した２つの実施形態と同様であるため、ここではその説明は省略する。
【００８１】
第１変形例に係る砂防構造体で用いられるスクリーン材４０１では、上流側端部４０２ｂは、Ｙ方向から見てＺ方向の高さが先端部に行くほど低くなる傾斜するとともに、途中からＺ方向に向けて垂直に落ち込む、先細のテーパ状の形状をしている。
【００８２】
また、上流側端部４０２ｂと対向する下流側端部４０２ａは、図１８に示すように、スクリーン材４０１が２つ接合された状態において上流側端部４０２ｂと相補的となる形状を有している。
【００８３】
こうした形状を有するスクリーン材４０１によっても、上流側端部４０２ｂの上側にある角部がＸ−Ｚ平面視で鈍角であるため、流下する土石流に含まれる岩石や砂礫が衝突してもその衝突エネルギーを受け流すことができ、スクリーン材４０１の連結部位における損傷の発生を効果的に防止することができる。
【００８４】
図１９は、本発明の第２変形例に係る砂防構造体で用いられるスクリーン材４４１の（Ａ）は下流側端部４４２ａ、（Ｂ）は上流側端部４４２ｂを示す斜視図である。図２０は、図１９に示すスクリーン材４４１が２つ接合される部分を示す側面図である。
【００８５】
第２変形例に係る砂防構造体で用いられるスクリーン材４４１では、上流側端部４４２ｂは、Ｙ方向から見てＺ方向の高さが次第に低くなるような円弧形状をしている。
【００８６】
また、上流側端部４４２ｂと対向する下流側端部４４２ａは、図２０に示すように、スクリーン材４４１が２つ接合された状態において上流側端部４４２ｂと相補的となる形状を有している。
【００８７】
こうした形状を有するスクリーン材４４１によっても、上流側端部４４２ｂの上側にある角部がＸ−Ｚ平面視で円弧状であるため、流下する土石流に含まれる岩石や砂礫が衝突してもその衝突エネルギーを受け流すことができ、スクリーン材４４１の連結部位における損傷の発生を効果的に防止することができる。
【００８８】
図２１は、本発明の第３変形例に係る砂防構造体で用いられるスクリーン材４６１の（Ａ）は下流側端部４６２ａ、（Ｂ）は上流側端部４６２ｂを示す斜視図である。図２２は、図２１に示すスクリーン材４６１が２つ接合される部分を示す側面図である。
【００８９】
第３変形例に係る砂防構造体で用いられるスクリーン材４６１では、上流側端部４６２ｂは、Ｙ方向から見てＺ方向の高さが先端部に行くほど低くなる、先細のテーパ状の形状をしている。
【００９０】
また、上流側端部４６２ｂと対向する下流側端部４６２ａは、図２２に示すように、Ｙ方向から見てＺ方向に向けて垂直に落ち込む形状をしている。
【００９１】
こうした形状を有するスクリーン材４６１によっても、上流側端部４６２ｂの上側にある角部がＸ−Ｚ平面視で鈍角であるため、流下する土石流に含まれる岩石や砂礫が衝突してもその衝突エネルギーを受け流すことができ、スクリーン材４６１の連結部位における損傷の発生を効果的に防止することができる。
【００９２】
また、上述した各実施形態及び変形例に係る砂防構造体では、上流側にあるスクリーン材の上面と下流側にあるスクリーン材の上面とがそれぞれ同一平面状にある構成を想定していたが、本発明においてはこれに限らず、上流側にあるスクリーン材の上面が下流側にあるスクリーン材の上面よりも上側に位置する態様であってもよい。こうした態様であっても、上述した各実施形態及び変形例と同様の作用・効果を奏することができる。
【００９３】
また、上述した各実施形態及び変形例に係る砂防構造体では、スクリーンが渓流Ｖの傾斜と略同一に傾斜するよう構築されていたが、本発明においてはこれに限らず、スクリーンが渓流Ｖから鈍角に立ち上がる傾斜を有していてもよい。こうした態様であっても、上述した各実施形態及び変形例と同様の作用・効果を奏することができる。
【符号の説明】
【００９４】
１  砂防構造体
２、２’  支持構造物
３、３’  縦桁
４、４’  スクリーン材
５、５’  スクリーン
６  横桁
７  シュー
１０  傾斜面用砂防構造体
２１  基底部
２２  側壁
２２１  段部
２２２  アンカーボルト
２３  奥側壁
２４  中間壁
２２’  基底部
２１’  段部
２３’  孔部
３２  フランジ
４１  角型鋼管
４２ａ  下流側端部
４２ｂ  上流側端部
６１  リブ
６２  フランジ
８１  側部横桁
８２  側部支持材
８２ａ  傾斜端部
８２ｂ  垂直端部
８２ｃ  接合プレート
４８０  スクリーン材
８１１  リブ
８１２  フランジ
Ｄ、Ｄ’  排水溝
Ｆ  礫
Ｍ  山肌
Ｓ  傾斜面
Ｖ  渓流
【図１】
2015137522.tif 000003
【図２】
2015137522.tif 000004
【図３】
2015137522.tif 000005
【図４】
2015137522.tif 000006
【図５】
2015137522.tif 000007
【図６】
2015137522.tif 000008
【図７】
2015137522.tif 000009
【図８】
2015137522.tif 000010
【図９】
2015137522.tif 000011
【図１０】
2015137522.tif 000012
【図１１】
2015137522.tif 000013
【図１２】
2015137522.tif 000014
【図１３】
2015137522.tif 000015
【図１４】
2015137522.tif 000016
【図１５】
2015137522.tif 000017
【図１６】
2015137522.tif 000018
【図１７】
2015137522.tif 000019
【図１８】
2015137522.tif 000020
【図１９】
2015137522.tif 000021
【図２０】
2015137522.tif 000022
【図２１】
2015137522.tif 000023
【図２２】
2015137522.tif 000024
【図２３】
2015137522.tif 000025